(57)【要約】【課題】  ネット状の外刃の長手方向のどの部位に肌からの押圧力が作用しても肌に対してなじむ方向に常にネット状の外刃が向くと共にこの肌にフィットさせた状態でネット状の外刃をスムーズに長手方向に移動したり、スムーズに短手方向に移動したり、スムーズにネット状の外刃を肌に対して廻すようにして髭剃りを行うことができる。【解決手段】  ネット状の外刃１と、ネット状の外刃１の内面に摺接する内刃２とを備え、上記外刃１はその長手方向において湾曲した凸曲面３を形成している。上記ネット状の外刃１の長手方向を左右方向と定義し、ネット状の外刃１と内刃２を保持するヘッド部４がグリップ部５に対して左右に回動自在に構成している。【選択図】        図１
2006042898.tif 000002
【特許請求の範囲】
【請求項１】
ネット状の外刃と、該ネット状の外刃の内面に摺接する内刃とを備え、上記ネット状の外刃はその長手方向において湾曲した凸曲面を形成していると共に、上記ネット状の外刃の長手方向を左右方向と定義し、ネット状の外刃と内刃を保持するヘッド部がグリップ部に対して左右に回動自在に構成してあることを特徴とする電気かみそり。
【請求項２】
ヘッド部内に内刃を駆動するためのモータを配置して成ることを特徴とする請求項１記載の電気かみそり。
【請求項３】
グリップ部に対してヘッド部をフロート自在として成ることを特徴とする請求項１又は請求項２記載の電気かみそり。
【発明の詳細な説明】
【技術分野】
【０００１】
本発明は、刃形状が長手方向に湾曲した凸曲面となった電気かみそりに関するものである。
【背景技術】
【０００２】
従来からネット状の外刃の形状を長手方向に湾曲させて凸曲面とした電気かみそりが特許文献１により知られている。
【０００３】
上記特許文献１に示された従来例は図１４（ａ）に示すようなもので、ネット状の外刃１’を長手方向に湾曲させて凸曲面３’となっている。このように、ネット状の外刃１’の長手方向が凸曲面３’となっていることで顎の下のくぼみにフィットさせることができ、フィットさせた状態でネット状の外刃１’の短手方向に移動して髭剃りを行うことができるようになっている。
【０００４】
ところが、この従来例においては、ネット状の外刃１’が、外刃ホルダー１００に屈曲自在に装着した弾性梁１０１と外刃ホルダー１００の先端の突起１０２との間に挿入して装着してあり、ネット状の外刃１’を図１４（ｂ）の矢印方向から押圧すると図１４（ｂ）のようにネット状の外刃１’が外刃ホルダー１００に対して下方に撓み、弾性梁１０１によりネット状の外刃１’が皮膚のどの方向から当たってもそれになじむ方向に傾くようになっている。
【０００５】
このため上記従来例においては、ネット状の外刃１’の一部に押圧力が作用すると押圧力が作用した方の端部が外刃ホルダー１００に対して下方に撓むと同時に外刃ホルダー１００の上端部のうち該ネット状の外刃１’が撓んだ方の外刃ホルダー１００の上端部の部位が相対的に肌の方に移動して強く肌に食い込むことになり、この状態で電気かみそりをネット状の外刃１’の長手方向に移動したり、あるいはネット状の外刃１’を肌に押し当てた状態でネット状の外刃１’を肌に対して廻すようにして髭剃りを行おうとすると、上記外刃ホルダー１００の上端部の一部が強く肌に食い込んでいるためこれが抵抗となってスムーズに移動できないという問題があり、特に、顎の下の髭を剃る場合、上記のように顎の下のくぼみにネット状の外刃１’をフィットさせた状態のままネット状の外刃１’を長手方向に移動したり、あるいはネット状の外刃１’を肌に押し当てた状態でネット状の外刃１’を肌に対して廻すようにして髭剃するのがし難く、効率的な髭剃りができないという問題がある。
【特許文献１】特公昭５７−５３７４８号公報
【発明の開示】
【発明が解決しようとする課題】
【０００６】
本発明は上記の従来の問題点に鑑みて発明したものであって、ネット状の外刃の長手方向のどの部位に肌からの押圧力が作用しても肌に対してなじむ方向に常にネット状の外刃が向くと共にこの肌にフィットさせた状態でネット状の外刃をスムーズに長手方向に移動したり、スムーズに短手方向に移動したり、あるいは、スムーズにネット状の外刃を肌に対して廻すようにして髭剃りを行うことができ、特に、ネット状の外刃を顎の下のくぼみにフィットさせた状態でネット状の外刃をスムーズに長手方向に移動したり、スムーズに短手方向に移動したり、あるいは、スムーズにネット状の外刃を肌に対して廻すようにして髭剃りを行うことが可能となる電気かみそりを提供することを課題とするものである。
【課題を解決するための手段】
【０００７】
上記課題を解決するために本発明に係る電気かみそりは、ネット状の外刃１と、ネット状の外刃１の内面に摺接する内刃２とを備え、上記ネット状の外刃１はその長手方向において湾曲した凸曲面３を形成していると共に、上記ネット状の外刃１の長手方向を左右方向と定義し、ネット状の外刃１と内刃２を保持するヘッド部４がグリップ部５に対して左右に回動自在に構成してあることを特徴とするものである。
【０００８】
このような構成とすることで、グリップ部５を手で掴んでネット状の外刃１を肌に押し当てると、肌へのネット状の外刃１の押し当て方向に応じて、長手方向に湾曲した凸曲面３となったネット状の外刃１を備えたヘッド部４がグリップ部５に対して回動してネット状の外刃１の凸曲面３が肌に追従して肌になじむ方向に傾いて効果的に髭剃りができるものであり、しかも、このように凸曲面３を肌に追従させて肌になじむ方向に傾けて肌にフィットさせた状態でネット状の外刃１を短手方向にスムーズに移動させながら髭剃りができるのは勿論、長手方向に凸曲面３となったネット状の外刃１を備えたヘッド部４がグリップ部５に対して回動することで、ヘッド部４の一部が部分的に肌に強く食い込むことがなく、これにより長手方向に凸曲面３となったネット状の外刃１を肌にフィットさせた状態のまま、ネット状の外刃１を長手方向にスムーズに移動しながら髭剃りをしたり、あるいは、長手方向に凸曲面３となったネット状の外刃１を肌にフィットさせた状態のまま、ネット状の外刃１を肌に対して廻すようにして髭剃りを行うことが可能となって、ネット状の外刃１を肌に押し当てた状態であらゆる方向にネット状の外刃１をスムーズに移動しながら髭剃りができ、髭剃り効率が向上するものである。特に、ネット状の外刃１を長手方向に凸曲面３としてあることで、顎の下のくぼみにフィットさせることができ、このように、顎の下のくぼみにネット状の外刃１をフィットさせた状態のまま、上記のようにネット状の外刃１を長手方向や短手方向に移動して髭剃りしたり、ネット状の外刃１を顎の下のくぼみにフィットさせた状態のままネット状の外刃１を肌に対して廻すようにして移動して髭剃りしたりでき、顎の下の様々な毛流れに対して効率よく髭を捉えて剃ることができ、髭剃り効率が著しく向上するものである。
【０００９】
また、ヘッド部４内に内刃２を駆動するためのモータ６を配置することが好ましい。
【００１０】
このような構成とすることで、ヘッド部４がグリップ部５に対して回動するものでありながら、モータ６からの出力で内刃２を駆動するための機構が簡略化できる。
【００１１】
また、グリップ部５に対してヘッド部４をフロート自在とすることが好ましい。
【００１２】
このような構成とすることで、ヘッド部４に設けたネット状の外刃１の肌への追従性が良くなり、肌への衝撃を緩和して肌当たりが滑らかな剃り心地が得られる。
【発明の効果】
【００１３】
本発明は、肌への押し当て方向に応じてヘッド部を回動してヘッド部に備えたネット状の外刃を肌に追従させ、ネット状の外刃を常に肌に対して最適の姿勢で肌にフィットさせることができ、また、このようにネット状の外刃の長手方向の凸曲面を肌に追従させてフィットさせた状態のまま、ネット状の外刃の短手方向にスムーズに移動できるのはもちろん、ネット状の外刃の長手方向にスムーズに移動しながら髭剃りをしたり、あるいは、ネット状の外刃を肌に対して廻すようにして髭剃りを行うことが可能となって、髭剃り効率が向上し、特に、ネット状の外刃が長手方向に凸曲面となっているので、顎の下のくぼみにフィットさせることができて、顎の下に外刃をフィットさせた状態のまま、ネット状の外刃の短手方向やネット状の外刃の長手方向にスムーズに移動しながら髭剃りをしたり、あるいは、ネット状の外刃を肌に対して廻すようにして髭剃りを行うことが可能となって、顎の下の髭剃りがスムーズに効率良く行えるものである。
【発明を実施するための最良の形態】
【００１４】
以下、本発明を添付図面に示す実施形態に基いて説明する。
【００１５】
添付図面には本発明の一実施形態が示してある。図１乃至図６に示すように、電気かみそりは、手で把持するためのグリップ部５と、該グリップ部５の長手方向の一端部に配置され該グリップ部５と反対方向の面に髭を剃るためのネット状の外刃１を有するヘッド部４とで構成してある。ここで、グリップ部５の長手方向の一端部のヘッド部４を配設する方の端部側を今仮に「上」、グリップ部５の長手方向の他端部側を「下」と定義すると、グリップ部５の上側の端部からヘッド部４が図１、図４、図６に示すように側面視で（つまりネット状の外刃１の長手方向と同方向から見て）グリップ部５に対してヘッド部４が鈍角に傾斜するように（グリップ部５に対してヘッド部４が斜め前上方に向けて突出するように傾斜して）取付けてある。しかも、該ヘッド部４はグリップ部５に対して後述のように、ヘッド支持ブロック３５を介してヘッド部４をグリップ部５に対して回動（スイング）自在且つ上下方向にフロート自在に取付けてある。
【００１６】
まず、ヘッド部４につき説明する。ヘッド部４は図７に示すように、リニアモータよりなるモータ６、内刃２、刃ブロック７、モータ６を収納保持するヘッドケース８、ヘッドケースカバー９から構成してある。このようにヘッド部４にモータ６を内装することで、ヘッド部４が後述のようにグリップ部５に対して回動するものでありながら、モータ６からの出力で内刃２を駆動するための機構が簡略化できるようになっている。
【００１７】
刃ブロック７は、図９に示すように、ネット状の外刃１を備えた複数（実施形態では２個）のネット刃カセット１０と、ネット刃カセット１０間に配置され且つ櫛状をしたスリットを設けたスリット外刃１１を有するスリット刃カセット１２とを矩形状の保持部材１３に装着することで構成してある。ネット状の外刃１は内刃２の往復移動方向に長くなっており（つまり内刃２の往復移動方向がネット状の外刃１の長手方向となっており）、複数のネット状の外刃１は長手方向が平行となるように短手方向において並設してあり、ネット状の外刃１とネット状の外刃１との間に配置されたスリット外刃１１もネット状の外刃１の長手方向と平行な方向が長手方向となっている。すなわち、リニアモータよりなるモータ６の振動方向（つまり内刃２の往復移動方向）を今仮に左右方向と定義した場合、左右方向の振動がその先端の駆動子２２によって内刃２に伝えられて、内刃２が左右方向に往復駆動して、ネット状の外刃１の長手方向（左右方向）に沿って摺接しながら往復動してネット状の外刃１に設けた刃穴に入った髭をカットすると共に、駆動子２２の往復動によりスリット内刃７８が左右方向に往復駆動してスリット外刃１１の内面に摺接しながら往復動して、スリット外刃１１に設けたスリットに入った髭をカットするようになっている。ネット状の外刃１は短い髭を根元から深剃りするためのものであり、スリット外刃１１はネット状の外刃１では剃り難い長い髭を剃るためのものであり、両者の協働で効果的に髭剃りを行うようになっている。なお、刃ブロック７の具体的構成については後述する。
【００１８】
なお、以下の説明では、上記のようにグリップ部５の長手方向の一端部のヘッド部４を配設する方の端部側を「上」、グリップ部５の長手方向の他端部側を「下」、つまり上下方向と定義し、ネット状の外刃１の長手方向（つまり内刃２の往復動方向）を左右方向と定義し、ネット状の外刃１の短手方向を前後方向と定義して説明する。
【００１９】
リニアモータよりなるモータ６はヘッドケース８の上開口部から内部に上から挿入して内装され、モータ６をヘッドケース８内に内装した状態で上開口部にヘッドケースカバー９を被せ、駆動子防水ゴム２９とゴム押さえ板１４を介してねじ１５で固定してある。
【００２０】
モータ６の下側はヘッドケース８の下方から蓋９７を介してねじ１６を螺入することでヘッドケース８に固定される。このようにヘッドケース８内にモータ６を内装してヘッドケース８とヘッドケースカバー９とで挟まれた状態で固定することで、ヘッドケース８、モータ６、ヘッドケースカバー９、駆動子防水ゴム２９、ゴム押さえ板１４により一つの防水構造の箱体内にモータ６を内装した駆動ブロックを構成してある。
【００２１】
モータ６の下側から延びているリード線１７はモータ６を駆動させるためにその先端部がグリップ部５内の駆動回路１８に結合されるものであり、配線チューブ６０内に挿通し、配線チューブ６０をヘッドケース８の底部に設けた孔１９（図６参照）を通って下側に露出した状態でヘッドケース８に固定することでヘッドケース８の外に導出してある。
【００２２】
ヘッドケース８の長手方向の両端面部（左右方向の両端面部）には着脱釦ばね２０と着脱釦２１が取付けてあり、着脱釦ばね２０により着脱釦２１が外側に付勢された状態となっている。
【００２３】
ヘッドケースカバー９の上面中央の孔からモータ６の駆動子２２が突出しており、この駆動子２２にはスリット駆動杆２３、トリマー駆動杆２４が設けてあると共に、内刃押上ばね２５がばねストッパ２６で固定してあり、内刃２が内刃押上ばね２５により上方に付勢された状態で駆動子２２に結合している。
【００２４】
刃ブロック７はすでに述べたように前から後にかけて順にネット状の外刃１を備えたネット刃カセット１０、スリット外刃１１を備えたスリット刃カセット１２、ネット刃カセット１０を配設し、これら各カセットを保持部材１３に装着することで構成してあり、これら各カセットはいずれも独立して上下移動可能に保持部材１３により保持してあり、この保持部材１３をヘッドケース８に取付けてある。
【００２５】
ネット刃カセット１０は図９に示すように、ネット状の外刃１を固定した外刃枠７０をカバー部材７１に取付けることで構成してあり、カバー部材７１は平面視（上から下方を見た場合）略コ字状をしていて、上方、下方及び前後方向の一方側が開口しており、左右両側部の上部の左右に対向する内面部には係止溝７３が形成してあって、外刃枠７０の左右両端部に設けた係止部７０ａをカバー部材７１の上記係止溝７３に係止することで図１０に示すようにネット状の外刃１を固定した外刃枠７０をカバー部材７１に取付けてあり、この取付け状態でネット状の外刃１がカバー部材７１の上開口に位置している。また、カバー部材７１の左右両端部の上部には下方及び前後方向の一方側に開口した凹所７２が形成してあり、この左右両側の凹所７２には凹所７２を左右方向に横切るように連結片７４が架設してあり、連結片７４に上下方向に縦溝７４ａが設けてある。また、凹所７２の左右方向の対向面には突部７２ａが突設してある。外刃枠７０には後述のスリット刃カセット１２側を向いた側面からスリット刃カセット１２側に向けて係合突起７５が突設してあり、更に、一方の外刃枠７０の上記係合突起７５を突設した側面からスリット刃カセット１２側に向けてばね受け突部７５ａが突設してある。
【００２６】
スリット刃カセット１２は図９、図１１に示すように、スリット外刃１１の左右両端部に支持部７６を固定したスリット外刃体７７と、スリット内刃７８に継手部材７９を固定したスリット内刃体８０とを組み合わせて構成してあり、スリット内刃体８０はスリット外刃体７７に対して長手方向に移動自在に組み込んであり、更に、継手部材７９と支持部７６との間に介在されたばね８１によりスリット内刃７８がスリット外刃１１に弾接しており、これによりスリット内刃７８がスリット外刃１１に対して弾接した状態で左右方向に摺動するように構成してある。支持部７６の左右方向の外側の上端から斜め下方に向けてカバー片８２が設けてあり、支持部７６にはカバー片８２の左右方向の内側にカバー片８２と対向するように下方に向けて係止片８３が突設してあり、係止片８３とカバー片８２を縦リブ８４により一体に連設してある。係止片８３の下端部には引掛け爪部８３ａが設けてある。また、支持部７６の上記係止片８３よりも左右方向の内側には下方に開口するばね受け孔９３が設けてあり、更に、支持部７６のばね受け孔９３よりも内側の前後面には突起受け用段部９１が設けてある。また、継手部材７９にはスリット駆動杆２３が上下移動自在に嵌め込まれる駆動杆嵌め込み凹部８５が設けてある。
【００２７】
保持部材１３は図９、図１０に示すように、矩形枠形状をしており、左右方向の両端部の前部及び後部にそれぞれ上方及び左右方向に開口した上下に長い外刃取付け用縦溝８６が形成してあり、更にこの両外刃取付け用縦溝８６の間に上方及び左右方向に開口した上下に長いスリット刃取付け用縦溝８７が形成してある。前後部の各外刃取付け用縦溝８６には上端部の前後に対向する内面に外刃抜止用爪部８８が形成してあり、また、保持部材１３の左右方向の両端部の外刃抜止用爪部８８の両側の内面部にスリット刃抜止用爪部８９が形成してある。更に、保持部材１３の左右方向の両端部には取付け用係止孔９０が設けてある。
【００２８】
ネット刃カセット１０を保持部材１３に組付けるには、カバー部材７１の連結片７４を保持部材１３の外刃取付け用縦溝８６に挿入するように、カバー部材７１の左右の凹所７２に保持部材１３の左右の壁部をそれぞれ上下方向にスライド自在に挿入する。この時、外刃取付け用縦溝８６に挿入された連結片７４はその縦溝７４ａに外刃抜止用爪部８８を挿入され、カバー部材７１が保持部材１３に対して上下方向にスライドするに当たり、外刃抜止用爪部８８が縦溝７４ａの端部に到るとそれ以上スライドできず抜け止めがなされる。また、カバー部材７１の凹所７２の左右方向の対向面に設けた突部７２ａが保持部材１３の左右方向の端部の側壁を内外から挟み込むように沿わせて配置される。
【００２９】
また、スリット刃カセット１２を保持部材１３に組付けるには、支持部７６の縦リブ８４を保持部材１３のスリット刃取付け用縦溝８７に保持部材１３の左右の壁部をそれぞれ上下方向にスライド自在に挿入する。この時、支持部７６の係止片８３の引掛け爪部８３ａが保持部材１３のスリット刃抜止用爪部８９に下方から係合可能となっていて、スリット刃カセット１２が保持部材１３に対して一定長さスライドするとそれ以上のスライドを防止して抜け止めがなされる。
【００３０】
また、上記のように保持部材１３に取付けた一対のネット刃カセット１０と、スリット刃カセット１２とは、一方のネット刃カセット１０（図においては前のネット刃カセット１０）のばね受け突部７５ａとスリット刃カセット１２のばね受け孔９３との間に両刃連結用押上ばね９２が介装されると共に、一対のネット刃カセット１０の各係合突起７５がスリット刃カセット１２の突起受け用段部９１に上方から弾接係止可能となっている。つまり、スリット刃カセット１２は、両刃連結用押上ばね９２の付勢によりネット刃カセット１０に対して上方に弾性的に押上げられており、係合突起７５が突起受け用段部９１に弾接してそれ以上ネット刃カセット１０に対してスリット刃カセット１２が上方に移動しないようになっているが、この連結用押上ばね９２により上方に押し上げられている状態で、スリット刃カセット１２に上方からの押圧力が作用するとスリット刃カセット１２が両刃連結用押上ばね９２のばね力に抗してネット刃カセット１０に対して下方にスライドすることができるものである。このようにスリット刃カセット１２は連結用押上ばね９２のばね力を受けつつネット刃カセット１０に対して上下方向にスライド可能にフロート支持してある。
【００３１】
上記の構成の刃ブロック７は図５に示すように保持部材１３の取付け用係止孔９０を着脱釦２１に設けた取付け爪２１ａに着脱自在に係止することで、ヘッドケース８の上端部に取付けたヘッドケースカバー９に保持部材１３が取付けられ、これにより刃ブロック７がヘッドケース８側に取付けられ、ヘッド部４が組み立て構成される。
【００３２】
上記のようにヘッド部４を組み立て構成した状態で、前後のネット刃カセット１０のネット状の外刃１にそれぞれ内刃押上ばね２５により内刃２が弾性的に押し当てられてネット刃カセット１０が上方に押上げられ、外刃抜止用爪部８８が縦溝７４ａの端部に当たっており、また、スリット刃カセット１２が前後方向において前に位置するネット刃カセット１０のばね受け突部７５ａに下端を支持された両刃連結用押上ばね９２により上方に弾性的に押上られ、スリット刃カセット１２の引掛け爪部８３ａが保持部材１３のスリット刃抜止用爪部８９に下方から係合している。この状態における、ばね受け突部７５ａを有しない方のネット刃カセット１０（実施形態では後のネット刃カセット１０）の保持部材１３に対する上方への押上力（ばねによる弾性押上力）をＱ１とし、ばね受け突部７５ａを有する方のネット刃カセット１０（実施形態では前のネット刃カセット１０）の保持部材１３に対する上方への押上力（ばねによる弾性押上力）をＱ２とし、スリット刃カセット１２の保持部材１３に対する上方への押上力（ばねによる弾性押上力）をＱ３とし（上記Ｑ１、Ｑ２、Ｑ３は図６に示している）、更に、Ｑ１＞Ｑ３とし、また、前後の内刃２に装着される各内刃押上ばね２５のばね力が等しいとすると、ばね受け突部７５ａを有しない方のネット刃カセット１０は、内刃押上ばね２５によってのみ保持部材１３に対して上方に弾性的に押上られているので、上記押上力Ｑ１は内刃押上ばね２５による上方への押上力となる。また、スリット刃カセット１２の保持部材１３に対する上方への押上力は両刃連結用押上ばね９２による上方への押上力となっている。一方、ばね受け突部７５ａを有する方のネット刃カセット１０は、内刃押上ばね２５によって保持部材１３に対して上方に弾性的に押上げる力が作用していると共にばね受け突部７５ａに両刃連結用押上ばね９２によって下方に押し下げ力が作用しており、このため、Ｑ２＝Ｑ１−Ｑ３となる。したがって、本発明においては、Ｑ１＞Ｑ２となっている。つまり、前後のネット刃カセット１０のうち、外力が作用しない初期状態（肌に押し付けていない初期状態）において、一方（実施形態では後）のネット刃カセット１０が他方（実施形態では前）のネット刃カセット１０よりも上方への押上げ力が大きくなるように設定してある。また、実施形態ではＱ２とＱ３とは略等しく設定してあるが、Ｑ２＞Ｑ３であってもよい。
【００３３】
上記のような構成において、前後の各ネット刃カセット１０、スリット刃カセット１２はそれぞれ独立して上下移動するものであり、したがって、前後の各ネット刃カセット１０及び前後方向の中間に位置するスリット刃カセット１２はそれぞれ独立してフロート自在となっている。
【００３４】
ネット形状の外刃１は図１、図２、図３、図５、図９、図１０等に示すように、その長手方向（つまり左右方向）において湾曲して緩やかな凸曲面３を形成していると共に、図１、図２、図４、図６、図９、図１０等に示すように、短手方向（つまり前後方向）においても凸曲面状に湾曲している。ここで、ネット刃カセット１０におけるネット状の外刃１の長手方向の両端部と隣接するフレーム端面部１０ａに、ネット状の外刃１と連続する滑らかな凸の曲面となったコーナーを構成する肌滑り面２７が設けてある。この滑り面２７のネット状の外刃１の短手方向の巾寸法は２ｍｍ〜５ｍｍに設定してあり、上記肌滑り面２７のコーナーの曲率半径が２ｍｍ〜１０ｍｍに設定してあって、肌滑り面２７と肌との接触面を広くすると共に、肌滑り面２７が大きな滑らかなコーナー形状となってエッジ当たりが無くなり、ネット刃カセット１０による押し付け荷重を和らげ、これらの理由により肌滑り面２７により肌へのネット刃カセット１０の滑りを良くし、髭剃りに当たって、刃ブロック７を肌に押し当てた状態で、ネット状の外刃１の短手方向（前後方向）に移動できるだけでなく、長手方向に移動したり、回転移動したりするのがスムーズに行えるようになっている。
【００３５】
また、スリット外刃１１も図１、図２、図９、図１１等に示すようにその長手方向（左右方向）において湾曲して緩やかな凸曲面１１ａを形成しており、このスリット外刃１１の凸曲面１１ａの曲率半径がネット状の外刃１の長手方向の凸曲面３の曲率半径よりも大きくなっている。
【００３６】
上記肌滑り面２７にはシボ加工が施してあり、肌との接触部位である肌滑り面２７がシボ加工による微小な凹凸状となり、肌滑り面２７と肌との接触面積を減少させることにより、肌滑り面２７と肌との動摩擦が低くなり、刃ブロック７の滑り性能を高めている。
【００３７】
ヘッドケース８の下端部には前面から見て左右２箇所に前後方向に長い溝２８が設けてある（図５参照）。この左右一対の溝２８はヘッド部４に対して一対の連結部材３６の一端部をそれぞれ回動自在に連結するための刃ヘッド側連結部Ｂの構成要素となる。
【００３８】
次に、グリップ部５について詳述する。グリップ部５の外殻を構成する本体グリップケース３０は前本体グリップケース３０ａと、後本体グリップケース３０ｂとに分割してあり、前後本体グリップケース３０ａ、３０ｂをハウジング用Ｏリング３０ｃを介して結合した状態で本体グリップケース３０の下部が密封された箱体となっており、この本体グリップケース３０の下部の箱体となった部分の内部に電池３１、駆動回路１８、スイッチ釦３２と、これらを保持する基台３３を内装して固定してある。前後の本体グリップケース３０ａ、３０ｂはこれらの内装部品を組込んだ後に後面側からねじ３４により固定される。
【００３９】
また、本体グリップケース３０の後部側から背面パネル６１が被嵌され、更に、下端部に下カバー６２が被嵌される。
【００４０】
本体グリップケース３０の下部の箱体形状に密封された部分の上面部より上側、つまり本体グリップケース３０の上部は上方が開口した凹所となっており、この凹所にはヘッド部４を支持するためのヘッド支持ブロック３５が配置されるようになっている。
【００４１】
ヘッド支持ブロック３５は、ヘッド部４とグリップ部５を連結するための左右一対の連結部材３６と、左右一対の各連結部材３６の一端部を連結する支持台３７と、支持台３７に固定され本体グリップケース３０ａ、３０ｂに対して上下移動自在に取付けられるガイド部材３８とで構成してある。
【００４２】
連結部材３６は前後２つのアーム部３９と、前後２つのアーム部３９の一端部（下端部）を一体に連結する軸４０と、前後２つのアーム部３９の他端部（上端部）にそれぞれ設けた前後方向を向く軸４１とで構成してある。
【００４３】
ガイド部材３８は後述のようにして本体グリップケース３０に上下方向にスライド自在に取付けられるのであるが、このガイド部材３８の上部に支持台３７がねじ４２により取付けられる。
【００４４】
支持台３７は底板３７ａの左右両端からそれぞれ上記ガイド部材３８に固定するための垂下片３７ｃを垂設し、更に底板３７ａの前後両端からそれぞれヘッド部４の前後両側にオーバラップする起立片３７ｂを突設しており、前後の起立片３７ｂの上端部の左右２箇所に孔４３を設けてある。この孔４３には連結部材３６の上端部に設けた軸４１が回動自在に嵌め込んであり、連結部材３６の上端部に設けた軸４１と孔４３との嵌め込みにより連結部材３６の一端部をグリップ部５側に回動自在に連結する本体側連結部Ａが構成される。このようにして左右一対で２個の連結部材３６の一端部（上端部）が上記のように軸４１と孔４３とよりなる本体側連結部Ａにより回動自在に連結される。
【００４５】
また、該一対の連結部材３６の下端部の軸４０がそれぞれ、図５に示すようにヘッドケース８の下端部に設けた溝２８に回動自在に嵌め込まれ、該溝２８に外れ防止の蓋９７を被せ、前述のモータ６を固定するためのねじ１６により取付けることでヘッド部４側に回動自在に連結される。したがって溝２８、蓋９７、軸４０により連結部材３６の一端部をヘッド部４側に回動自在に連結するための刃ヘッド側連結部Ｂが構成される。
【００４６】
このようにして、グリップ部５の一端部（上端部）側に一対の連結部材３６を介してヘッド部４が取付けられるのであるが、この場合、本体側連結部Ａが刃ヘッド側連結部Ｂよりもヘッド部４のネット状の外刃１側（刃面側）に近づくように配置してあり（つまり、刃面を構成する外刃１がヘッド部４の上面に存在するので、本体側連結部Ａが上位置、刃ヘッド側連結部Ｂを下位置となるように配置してあり）、ヘッド部４は上記一対の連結部材３６を介してグリップ部５に対して左右方向に揺動自在に吊下げた構造となっていて、これによりヘッド部４はグリップ部５に対して左右に回動（スイング）自在に取付けてある。
【００４７】
ここで、一対の連結部材３６をヘッド部４に連結する部分である刃ヘッド側連結部Ｂ間の距離が本体側連結部Ａ間の距離よりも長くなっており、一対の連結部材３６は正面視で八字状をしている。これにより、一対の連結部材３６のアーム部３９の延長線上の交点を瞬間仮想支点Ｏとしてヘッド部４を連結部材３６を介してグリップ部５に対して揺動し得るようになっている。なお、一対の連結部材３６の刃ヘッド側連結部Ｂ間の距離を本体側連結部Ａ間の距離の１．５倍以上とすることが好ましい。一対の連結部材３６の刃ヘッド側連結部Ｂ間の距離を本体側連結部Ａ間の距離の１．５倍に満たないと、揺動角度が小さ過ぎて肌への追従性に問題があるが、１．５倍以上とすることで、一対の連結部材３６により肌への追従性良く且つ安定してヘッド部４を揺動自在に吊り下げ支持できるものである。また、一対の連結部材３６のなす角度が３０°〜１２０°の範囲にあることが好ましいものである。
【００４８】
左右一対の連結部材３６における前後のアーム部３９はそれぞれヘッド部４の前後面でリンクを構成するが、衝撃防止や、髭などのごみのかみ込みを防ぐため、外側をカバーすることが好ましい。
【００４９】
本実施形態ではヘッドケース８の前後部分に下面が開口４４ａとなった凹部４４を設け、この凹部４４内に連結部材３６の左右のアーム部３９、軸４１、起立片３７ｂを開口４４ａから組込むことで前後の面を保護し、また、蓋９７で軸４０を保護している。
【００５０】
上端部に支持台３７を取付けたガイド部材３８は支持台３７の底板３７ａに形成した孔３７ｄと対応する孔４７が設けてあり、この連通する孔３７ｄ、孔４７をリード線１７が通るようになっている。
【００５１】
ガイド部材３８には孔４７を横切るように桟４８が設けてあり、ヘッドケース８の下端と桟４８をつなぐように引張りばねよりなるばね４９が装着してある。
【００５２】
前の本体グリップケース３０ａの上部の後面と、後の本体グリップケース３０ｂの上部の前面には図８に示すように、それぞれ上下方向にガイド溝５０が凹設してあり、ヘッド支持ブロック３５は前後の本体グリップケース３０ａ、３０ｂの間に挟まれるように配置されており、ガイド部材３８の前後面に設けたガイド部３８ａを上記したガイド溝５０に上下方向にスライド自在に嵌め込むことでヘッド支持ブロック３５が本体グリップケース３０の上部の凹所内に上下にスライド自在に取付けられるものである。ここで、ヘッド支持ブロック３５が本体グリップケース３０の上部の凹所内を上記のように上下にスライドする際、スムーズにスライドできるようにヘッド支持ブロック３５の外面側乃至本体グリップケース３０の凹所の内面側のいずれか一方又は両方にローラ６３を設けて上下にスライドする際にローラ６３を転動させることでスライドをスムーズにしている。添付図面に示す実施形態では、前の本体グリップケース３０ａの凹所の内面側に前のローラ６３を回転自在に取付けて該前のローラ６３をヘッド支持ブロック３５の前面に転動させ、ヘッド支持ブロック３５の後面側に後のローラ６３を回転自在に取付けて該後のローラ６３を後の本体グリップケース３０ｂの凹所の内面に転動させるようになっている。
【００５３】
本体グリップケース３０の上部に設けた凹部の底（すなわち下部の箱状部の上面部）とヘッド支持ブロック３５のガイド部材３８との間にはばね５１が介在してあって、ばね５１によりヘッド支持ブロック３５に上方へのばね力を付与している。ここで、上下移動自在にグリップ部５に取付けられるヘッド支持ブロック３５がグリップ部５から抜けないようにストッパ（図示せず）が設けてある。
【００５４】
このように、ヘッド支持ブロック３５がグリップ部５に上下方向に移動自在で且つばね５１で上方に弾性付勢してあるので、ヘッド部４がグリップ部５に対して上下方向に移動自在にフロート支持されることになる。したがって、本実施形態においては、前述のようにヘッド部４の上部を構成するネット状の外刃１を備えた２つのネット刃カセット１０、スリット外刃１１を備えたスリット刃カセット１２がそれぞれヘッド部４の下部を構成するヘッドケース８に取付ける保持部材１３に対して独立してフロート自在であることに加え、ヘッド部４が更にグリップ部５に対しても上下方向に移動自在にフロート支持してある。
【００５５】
上記のような構成の電気かみそりの使用に当たっては、グリップ部５を手で掴んで、ヘッド部４の上面のネット状の外刃１、スリット外刃１１を肌に押し当てて髭剃りを行うものである。
【００５６】
ここで、本発明においては、前述のように、ネット状の外刃１がその長手方向において湾曲して緩やかな凸曲面３を形成していると共に、ネット状の外刃１と内刃２を保持するヘッド部４がグリップ部５に対して前述のように一対の連結部材３６を備えたヘッド支持ブロック３５を介して図１３（ａ）（ｂ）のように左右に回動自在に構成してあるので、グリップ部５を手で掴んでネット状の外刃１を肌に押し当てると、肌へのネット状の外刃１の押し当て方向に応じて、長手方向に湾曲した凸曲面３となったネット状の外刃１を備えたヘッド部４がグリップ部５に対して回動して凸曲面３が肌に追従して肌になじむ方向に傾いて効果的に髭剃りができるものである。しかもこの場合、凸曲面３を肌に追従させて肌になじむ方向に傾けて肌にフィットさせた状態で、ネット状の外刃１が短手方向にも凸曲面となるように湾曲しているのでネット状の外刃１を前後方向（短手方向）にスムーズに移動させながら髭剃りができるのは勿論、長手方向が凸曲面３となったネット状の外刃１を備えたヘッド部４がグリップ部５に対して回動することで、ヘッド部４の一部が部分的に肌に強く食い込むことがなく、これにより長手方向に凸曲面３となったネット状の外刃１を肌にフィットさせた状態のまま、ネット状の外刃１の長手方向にスムーズに移動しながら髭剃りをしたり、あるいは、長手方向に凸曲面３となったネット状の外刃１を肌にフィットさせた状態のまま、ネット状の外刃１を肌に対して廻すようにして髭剃りを行うことが可能となって、ネット状の外刃１を肌に押し当てた状態であらゆる方向にネット状の外刃１をスムーズに移動しながら髭剃りができるものである。
【００５７】
特に、ネット状の外刃１を長手方向に凸曲面３としてあるから、顎の下のくぼみに上記凸曲面３をフィットさせることができるものであり、このように、顎の下のくぼみにネット状の外刃１の凸曲面３をフィットさせた状態のまま、上記のようにネット状の外刃１を長手方向や短手方向に移動して髭剃りしたり、ネット状の外刃１の凸曲面３を顎の下のくぼみにフィットさせた状態のままネット状の外刃１を肌に対して廻すようにして移動して髭剃りしたりでき、顎の下の髭剃り効率が著しく向上することになる。
【００５８】
また、本発明においては更に、長手方向において湾曲して緩やかな凸曲面３となった前後のネット状の外刃１の間に配置されたスリット外刃１１もその長手方向において湾曲して緩やかな凸曲面１１ａを形成しているので、ヘッド部４をネット状の外刃１の長手方向に沿って移動させる際、スリット外刃１１の凸曲面１１ａを肌に押し当てた状態でスリット外刃１１が部分的に肌に強く食い込むことがなく、よりいっそうスムーズに長手方向に移動できると共によりいっそうスムーズに肌に対して廻すようにして髭剃りすることが可能となるものである。
【００５９】
また、本発明においては、ヘッド部４がグリップ部５に対して前述のように一対の連結部材３６を備えたヘッド支持ブロック３５を介して図１２（ａ）（ｂ）のように上下動自在にフロート支持してある（図１２（ａ）はヘッド部４に上方からの押し下げ力が作用していない初期状態であり、図１２（ｂ）はヘッド部４に上方から押し下げ力が作用して下方に押し下げられた状態を示している）ので、ヘッド部４に設けたネット状の外刃１やスリット外刃１１の肌への追従性が良くなり、肌への衝撃を緩和して肌当たりが滑らかな剃り心地が得られるものであり、実施形態では更にネット状の外刃１を備えた２つのネット刃カセット１０、スリット外刃１１を備えたスリット刃カセット１２がそれぞれヘッド部４の下部を構成するヘッドケース８に対して独立してフロート自在であるので、各ネット状の外刃１やスリット外刃１１は更に独立して肌に追従することになって肌への追従性がよりいっそう良くなるものである。
【００６０】
また、前述のように、ネット刃カセット１０におけるネット状の外刃１の長手方向の両端部と隣接するフレーム端面部１０ａに、ネット状の外刃１と連続する滑らかなコーナーを構成する滑り面２７が設けてあるので、肌滑り面２７により肌へのネット刃カセット１０の滑りを良くし、髭剃りに当たって、刃ブロック７を肌に押し当てた状態で、ネット状の外刃１の短手方向（前後方向）に移動できるだけでなく、長手方向に移動したり、回転移動したりするのがよりいっそうスムーズに行えるものであり、この場合、肌滑り面２７にはシボ加工が施してあるので、肌滑り面２７と肌との接触面積を減少させ、肌滑り面２７と肌との動摩擦が低くなり、刃ブロック７の滑り性能が高くなり、よりいっそう髭剃り時におけるネット状の外刃１の長手方向への移動や回転移動がスムーズに行える。
【００６１】
また、グリップ部５を手で掴んでネット状の外刃１、スリット外刃１１を肌に押し当てた状態で、刃ブロック７をネット状の外刃１の短手方向（前後方向）に移動する場合、グリップ部５を手で掴んで肌に押し当てた状態では、後のネット刃カセット１０（ばね受け突部７５ａを有しない方のネット刃カセット１０）の保持部材１３に対する上方への押上力Ｑ１が、前のネット刃カセット１０（ばね受け突部７５ａを有する方のネット刃カセット１０）の保持部材１３に対する上方への押上力Ｑ２や、スリット刃カセット１２の保持部材１３に対する上方への押上力Ｑ３よりも大きいので、つまり、Ｑ１＞Ｑ２、Ｑ３であるので、肌への押上力が大きい後のネット刃カセット１０のネット状の外刃１が先頭になって後方向に向けて移動するようにして髭剃りを行うと、肌に沿って後方向に移動する時の髭の絞り出し及び起毛とその切断効率を良くすることができる。
【００６２】
ところで、本発明において長手方向に凸曲面３となったネット状の外刃１、長手方向に沿った凸曲面１１ａとなったスリット外刃１１を備えたヘッド部４がグリップ部５に対して上下移動自在で且つ左右に揺動自在であることで上記のように長手方向に凸曲面３となったネット状の外刃１を肌に押し当ててフィットさせた状態でヘッド部４を前後方向に動かしずらい部位においてもヘッド部４を全方位にスムーズに動かしたり、回転動作をさせることが容易となるのであるが、本発明においては、一対の連結部材３６を介してヘッド部４をグリップ部５に対して揺動自在に連結してあるので、一対の連結部材３６によりリンク機構が構成され、図１２、図１３に示すように、一対の連結部材３６を八字状に配置することにより、連結部材３６の両端部の回動部分となる刃ヘッド側連結部Ｂと本体側連結部Ａとを結ぶ線の延長線の交わる点である瞬間仮想支点Ｏをヘッド部４の刃面（つまりネット状の外刃１、スリット外刃１１）に近い位置に設けることができ、これによりヘッド部４の刃面（つまりネット状の外刃１、スリット外刃１１）に近い位置に位置する瞬間仮想支点Ｏを中心にヘッド部４が揺動することになり、低抵抗で揺動できるため、揺動がスムーズに行えると共に小さな押付け力で肌への刃面（ネット状の外刃１、スリット外刃１１）の十分な密着力が得られ、軽い操作で良好な髭剃りができることになる。
【００６３】
しかも、本体側連結部Ａを刃ヘッド側連結部Ｂよりもヘッド部４の刃面（ネット状の外刃１、スリット外刃１１）側に近づけて一対の連結部材３６によりグリップ部５にヘッド部４を吊り下げて支持するように構成した吊り下げ支持方式のリンク構造としてあるので、図１２（ａ）の状態において仮に刃面（ネット状の外刃１、スリット外刃１１）の左側に左斜め方向から力Ｆ３が作用した場合、正面から見て両連結部材３６がそれぞれ本体側連結部Ａを回動中心として反時計周りに回動してヘッド部４が全体として反時計周りに回動するが、図１３（ａ）のように、右側の連結部材３６の本体側連結部Ａと刃ヘッド側連結部Ｂとを結ぶ線が上記斜めから作用する力Ｆ３と平行になるまで回動すると、上記斜め方向から作用する力Ｆ３に対応したヘッド部４の傾斜角度で止まり、安定した状態でヘッド部４のネット状の外刃１の長手方向に沿った凸曲面３、スリット外刃１１の長手方向に沿った凸曲面１１ａが肌面に押し当てられることになる。
【００６４】
また、仮に図１２（ａ）の状態においてネット状の外刃１の右側に右斜め方向から力Ｆ４が作用した場合、正面から見て両連結部材３６が本体側連結部Ａを回動中心として時計周りに回動してヘッド部４が全体として時計周りに回動するが、連結部材３６が水平となる（つまり、本体側連結部Ａと刃ヘッド側連結部Ｂとを結ぶ線が水平となる）以前に、図１３（ｂ）のように、左側の連結部材３６の本体側連結部Ａと刃ヘッド側連結部Ｂとを結ぶ線が上記斜めから作用する力Ｆ４と平行になるまで回動すると、上記斜め方向から作用する力Ｆ４に対応したヘッド部４の傾斜角度で止まり、安定した状態でヘッド部４のネット状の外刃１の長手方向に沿った凸曲面３、スリット外刃１１の長手方向に沿った凸曲面１１ａが肌面に押し当てられることになる。
【００６５】
上記力Ｆ３や力Ｆ４で示される力Ｆはヘッド部４のネット状の外刃１、スリット外刃１１の長手方向に沿った各凸曲面３、１１ａを肌に押し当てた時にネット状の外刃１、スリット外刃１１の長手方向に沿った凸曲面３、１１ａに作用する肌からの反力であり、ヘッド部４が押し当てられる肌の状態や、ヘッド部４を肌に押し当てる状態が異なると、当然、肌からの作用する反力である力Ｆの方向、傾斜角度が異なるが、本発明においては、常に、斜めから作用する力の方向、傾斜角度に対応して連結部材３６の本体側連結部Ａと刃ヘッド側連結部Ｂとを結ぶ線が上記斜めから作用する力Ｆと平行になるまで回動した状態で安定して停止するものである。また、力Ｆの大きさはヘッド部４を肌に強く押付けたり、弱く押付けたりすることで異なるが、この力Ｆの大きさが異なっても、本発明においては、斜めから作用する力Ｆでヘッド部４が回動すると、力Ｆの方向、傾斜角度に対応して連結部材３６の本体側連結部Ａと刃ヘッド側連結部Ｂとを結ぶ線が上記斜めから作用する力Ｆと平行になるまでヘッド部４が回動した状態で安定して停止するものである。これにより肌に対してヘッド部４の当て方向、力に応じて、ネット状の外刃１、スリット外刃１１の長手方向に沿った各凸曲面３、１１ａが最も好ましい状態で肌に押し当たるようにヘッド部４が揺動し、ヘッド部４の押し当て方向に適した好ましい状態となるように肌に対してネット状の外刃１の長手方向に沿った凸曲面３、スリット外刃１１の長手方向に沿った凸曲面１１ａを位置させた状態で安定させることができるものであり、どのような剃り方をしても髭剃りが最も良好にできる姿勢にヘッド部４のネット状の外刃１の長手方向に沿った凸曲面３、スリット外刃１１の長手方向に沿った凸曲面１１ａを肌にスムーズに追従させながら髭の剃り残しがないように良好な髭剃りができるものである。
【００６６】
ここで、ヘッド部４をグリップ部５に対して上記のように連結部材３６を介して吊り下げ支持する方式とし且つ前後の高い位置で前後両側から連結部材３６によりヘッド部４を挟み込むように吊り下げることで、前後の斜め方向からの押付けにもこじれ難くなり、強い押付けや、弱い押付けに係わらず、ネット状の外刃１の長手方向に沿った凸曲面３、スリット外刃１１の長手方向に沿った凸曲面１１ａを押付け方向に向けることができる。
【００６７】
この場合、本実施形態のように、一対の連結部材３６をグリップ部５側にそれぞれ連結するための本体側連結部Ａ及び刃ヘッド側連結部Ｂにおける連結方式をいずれも軸回転式とすることで、少ない力でヘッド部４を揺動回動できるものであり、これによりどのような剃り方をしてもネット状の外刃１の長手方向に沿った凸曲面３、スリット外刃１１の長手方向に沿った凸曲面１１ａを肌によりいっそうスムーズに追従させることができるものである。
【００６８】
また、連結部材３６の前後２つのアーム部３９の一端部（下端部）を軸４０で一体化してあるのでがたの発生する連結箇所を減らせると同時に前後に長い軸４０をヘッドケース８の下端部に設けた前後方向に長い溝２８に回動自在に嵌め込む構造にできて、軸４０と溝２８との係り代が長くなり、ねじりに対してこじれにくいリンク機構にできるものである。
【００６９】
また、引張りばねよりなるばね４９でヘッド部４とヘッド支持ブロック３５を常に引き合う状態としておくことで、ヘッド部４への外力がない状態において、常にヘッド部４の傾きを中立に保つことが可能となり、肌に対しての当たり角が安定するものであり、ばね５１として引張りばねを用いたことによりばね力が左右方向の回動力に及ぼす力を小さくすることができ、肌への追従性を向上させることができる。
【００７０】
本発明の電気かみそりにはトリマーブロック５２が設けてあるが、このトリマーブロック５２は後本体グリップケース３０ｂの後側に上下移動自在に取付けられ、トリマーブロック５２を上方向にスライドすることにより、ヘッド部４のトリマー駆動杆２４とトリマーブロック５２のトリマー駆動子が結合し、トリマー刃５３が駆動されるようになっている。
【図面の簡単な説明】
【００７１】
【図１】本発明の電気かみそりの斜視図である。
【図２】同上の刃ブロック、内刃を外した状態の斜視図である。
【図３】同上の正面図である。
【図４】同上の側面図である。
【図５】同上の正面断面図である。
【図６】同上の側面断面図である。
【図７】同上のヘッド部、ヘッド支持ブロックの分解斜視図である。
【図８】同上のグリップ部、ヘッド支持ブロックの分解斜視図である。
【図９】同上の刃ブロックの分解斜視図である。
【図１０】同上のヘッド部の一部省略分解斜視図である。
【図１１】同上のスリット刃カセットの分解斜視図である。
【図１２】（ａ）は同上のグリップ部に対してヘッド部に外力が作用していない状態を示す作用説明図であり、（ｂ）は同上のヘッド部に上方からの押し下げ力が作用することで下方に移動した状態を示す作用説明図である。
【図１３】（ａ）（ｂ）は同上のグリップ部に対してヘッド部が左右方向にスイングしている状態を示す作用説明図である。
【図１４】従来例を示し、（ａ）は断面図であり、（ｂ）は作用説明図である。
【符号の説明】
【００７２】
１  ネット状の外刃
２  内刃
３  凸曲面
４  ヘッド部
５  グリップ部
６  モータ
【図１】
2006042898.tif 000003
【図２】
2006042898.tif 000004
【図３】
2006042898.tif 000005
【図４】
2006042898.tif 000006
【図５】
2006042898.tif 000007
【図６】
2006042898.tif 000008
【図７】
2006042898.tif 000009
【図８】
2006042898.tif 000010
【図９】
2006042898.tif 000011
【図１０】
2006042898.tif 000012
【図１１】
2006042898.tif 000013
【図１２】
2006042898.tif 000014
【図１３】
2006042898.tif 000015
【図１４】
2006042898.tif 000016